(57)【要約】      （修正有）【課題】広げると大きな透明屏風になるが、たたむとＡ４サイズの大きさになる携帯可能な飛沫感染対策透明パーティションを提供する。【解決手段】携帯型飛沫感染対策透明パーティションは、上部透明屏風と下部透明屏風を含み、上部透明屏風は、Ａ４判程度の大きさの透明板１〜８を屏風のように９・１１と１２・１４は谷折りに１０と１３は山折りに繋ぎ会わせ畳めるようにし、広げた時には必要な広さを得られるようにし、同じ方法で下部透明屏風を構成する。下部透明屏風の上部に補助具Ｇ１・Ｇ２により嵌合溝を設け、その上に簡単に上部透明屏風を積み重ねられ、場所に合わせて面積調整出来る。たたむとＡ４の文書ファイルやノートＰＣとほぼ同じ大きさになり、厚みは約１０ｍｍ程なのでビジネスバックに抵抗なく入る。持ち運びが簡単になり、いつでもどこでも、ウイルス等の飛沫感染やエアロゾル感染を防ぐのに役立つ。【選択図】図１
0003232300.tif 000002
【実用新案登録請求の範囲】
【請求項１】
上部透明屏風は、Ａ４判程度の大きさに透明な板を切り出して、屏風のように交互に谷折りと山折を繰り返し繋ぎ会わせる、さらに同じ方法で下部透明屏風を作成して下部透明屏風の上部に嵌合溝を設けてその嵌合溝を介して上部透明屏風を簡単に積み重ねることが出来るようにすることによりビジネスバック等に入れて簡単に携帯できて、組み立てるとその場所に合わせた面積調整が出来るようにしたのを特徴とするウイルス等飛沫感染やエアロゾル感染を防ぐための携帯型飛沫感染対策透明パーテーション。
【考案の詳細な説明】
【技術分野】
【０００１】本考案は、折りたたむと簡単に小さくなり、組み立ててるとウイルス等飛沫感染やエアロゾル感染を防ぐことが可能な程度の大きさを確保する事ができる、ウイルス等飛沫感染やエアロゾル感染を防ぐための携帯型飛沫感染対策透明パーテーションに関するものである。
【背景技術】
【０００２】新型コロナウイルスのパンデミックが起こりパンデミックはなかなか収束せず、むしろ拡大しつつあるが、新型コロナウイルスの感染に有効とされているのが３密を防ぐ事で、対人間に置く隔離板も有効とされている。透明固定パーテーションはある程度どこでも用意されているようになってきたが、いつでもどこにでも必ず用意されているとは限らない。相手の都合次第である。そのため商談・訪問・外食・会食・面談等々等々が窮屈になっているのに。いつでもどこでもどんな場面でも自分を守り相手を守るために簡単に携帯出来て場面に応じて感染防止が出来る大きさを確保出来る透明パーティションが無かった。
【先行技術文献】
【特許文献】
【０００３】出願人は本願考案に関し、先行する技術文献を調査したが、格別に本願考案と関連し、類似すると思われる文献は発見できなかった。
【考案の概要】
【考案が解決しようとする課題】
【０００５】店用や面接・対面・受付等の固定パーテーション等はあるが、ビジネスバック等に入れて持ち運べる程度に小さくする事が出来て、さらにそれを簡単に組み立てることによってウィルス等飛沫感染やエアロゾル感染の防御が可能になる程の横幅と高さを確保できるものはなかったので、前述の欠点を解決しようとするものである。
【課題を解決するための手段】
【０００６】本考案は、折り畳んでビジネスバックに容易に入り、他の重要書類等を邪魔しない程手軽に携帯出来るように小さくするために透明板をＡ４判程度（大きさは必要に応じ自由に設定出来る）に収めるようにした。目的のためにため屏風の１ピースの大きさをＡ４判程度に切り出す、そしてそれを横に四枚つなげて屏風のような形にする（必要に応じて枚数を増減することが出来る）。しかしそのままでは飛沫防止の為の高さが不足するのでさらにもう一組み同じ物を作成する。その屏風を前述の屏風の上に積み重られるようして幅も高さも確保出来るようにすることにより問題点を解決している。
【考案の効果】
【０００７】組み立てたときウイルス等の飛沫感染やエアロゾル感染を防ぐ程の高さとを確保できるようにし、さらに持ち運びを簡単にするため、折りたたむとビジネスバックに入る程の大きさにした。結果文書ファイルやラップトップＰＣと同じ程度の大きさまで小さくすることが出来た、さらに邪魔にならない程度の厚みも実現したため簡単に持ち運ぶ事が可能になった。そのため商談・訪問・外食・会食・面談等々いつでもどこでもどんな場面でもウィルスや菌などの感染から自分を守り相手を守るために簡単に使用出来るようになった。
【図面の簡単な説明】
【０００８】
【図０１】本考案の組立状態を示す正面図
【図０２】本考案の折り畳んだ状態を示す正面図と側面図
【図０３】本考案の折り畳んだ状態を示す外観図
【図０４】本考案の［図０１］の上部屏風の正面図
【図０５】本考案の［図０１］の下部屏風の正面図
【図０６】本考案の［図０５］の上下をつなぐ嵌合部分の正面図と側面図
【図０７】［図０７］から［図１１］までは使用後折りたたんで携帯サイズになるまでの実施例の外観図
【図０８】［図０７］の状態から屏風を折りたたんで小さく成った外観図
【図０９】［図０８］の状態よりさらに屏風を折りたたんで小さく成った外観図
【図１０】折りたたんだ上部と下部を一組にした携帯サイズの外観図
【図１１】携帯サイズ時の正面図と側面図
【考案を実施するための形態】
【０００９】  本考案は、上部透明屏風［図０４］は、Ａ４判程度の大きさに透明な板１・２・３・４を切り出して、屏風のように９・１１は谷折りに１０は山折りになるように繋ぎ会わせる。それにより小さく畳むことが出来てかつ広げた時は横方向に必要な広さを確保出来るようにした。さらに同じ方法で下部透明屏風［図０５］を作成する。下部透明屏風の上部両側に補助具Ｇ１・Ｇ２を貼り付けて嵌合溝Ｌ５を設ける。嵌合溝Ｌ５を介して下部透明屏風の上に上部透明屏風を簡単に積み重ねることが出来るようにした。
下部透明屏風の上部に設けた嵌合溝Ｌ４を介してその上に上部透明屏風を簡単に積み重ねて２段とし、場所に合わせて面積調整可能なパーティション［図０１］が出来るようにした。その時１と５は右側の４と８は左側でスタンドの役目もする。さらに折りたたむとＡ４の文書ファイルやラップトップＰＣとほぼ同じ高さＨ２・幅Ｌ２の大きさになり、折りたたんだ上部屏風と下部屏風を重ねても高さＨ３・幅Ｌ６の大きさで厚みＤ３は約１０ｍｍ程にしたのでビジネスバックに抵抗なく入る。此れ等の形態により持ち運びが簡単になり。いつでもどこでも組み立ててウイルス等飛沫感染やエアロゾル感染を防ぐのに役立つよう解決した。
【符号の説明】
【００１０】  １  透明飛沫防止板兼スタンドの上部左側面
２  透明飛沫防止板上部左側正面
３  透明飛沫防止板上部右側正面
４  透明飛沫防止板兼スタンドの上部右側面
５  透明飛沫防止板兼スタンドの下部左側面
６  透明飛沫防止板下部左側正面
７  透明飛沫防止板下部右側正面
８  透明飛沫防止板兼スタンドの下部右側面
９  １と２を谷折り可能に接続加工
１０  ２と３を山折り可能に接続加工
１１  ３と４を谷折り可能に接続加工
１２  ５と６を谷折り可能に接続加工
１３  ６と７を山折り可能に接続加工
１４  ７と８を谷折り可能に接続加工
Ｈ１  透明飛沫防止板組み立て後で使用時の高さ
Ｌ１  透明飛沫防止板組み立て後で使用時の幅
Ｈ２  屏風を構成している各透明飛沫防止板の高さ
Ｌ２  屏風を構成している各透明飛沫防止板の幅
Ｄ２  屏風を折りたたんだ時の厚さ
Ｇ１  嵌合溝ための左補助具
Ｇ２  嵌合溝ための右補助具
Ｄ４  屏風を構成している各透明飛沫防止板の幅
Ｌ５  下部屏風の上に上部屏風を乗せて安定させるための嵌合溝
Ｈ３  上部屏風と下部屏風を折りたたんで重ねた携帯可能時の高さ＝Ｈ１
Ｌ６  上部屏風と下部屏風を折りたたんで重ねた携帯可能時の幅
Ｄ３  上部屏風と下部屏風を折りたたんで重ねた携帯可能時の厚さ
【図１】
0003232300.tif 000003
【図２】
0003232300.tif 000004
【図３】
0003232300.tif 000005
【図４】
0003232300.tif 000006
【図５】
0003232300.tif 000007
【図６】
0003232300.tif 000008
【図７】
0003232300.tif 000009
【図８】
0003232300.tif 000010
【図９】
0003232300.tif 000011
【図１０】
0003232300.tif 000012
【図１１】
0003232300.tif 000013
【手続補正書】
【提出日】令和3年1月27日(2021.1.27)
【手続補正１】
【補正対象書類名】実用新案登録請求の範囲
【補正対象項目名】全文
【補正方法】変更
【補正の内容】
【実用新案登録請求の範囲】
【請求項１】
硬質透明板を、おおよそＡ４サイズに縦状に切断した透明飛沫防御板を縦方向に３本の屈折部（９）（１０）（１１）を設けて、４つの透明飛沫防御板（１）（２）（３）（４）に区画した上部屏風と、おおよそＡ４サイズに縦状に切断した透明飛沫防御板を縦方向に３本の屈折部（１２）（１３）（１４）を設けて、４つの透明飛沫防御板（５）（６）（７）（８）に区画した下部屏風と、下部屏風の上に上部屏風をのせることが出来る様に、下部屏風の上部には上部屏風をのせるための環濠溝（Ｌ５）であって透明な細い帯板（Ｇ１）（Ｇ２）を飛沫防御板（５）（８）の上部をはさむように接着した環濠溝（Ｌ５）を備えることを特徴とする新型コロナウイルス等の飛沫感染やエアロゾル感染を防ぐための携帯型飛沫感染対策透明パーテーション。